(57)【要約】【課題】開口部を片手で容易に開いた状態にすることが可能であると共に、栄養液等を注ぎ入れた後の負荷も軽減した経腸栄養法用バッグを実現できるようにする。【解決手段】経腸栄養法用バッグは、上端部に経腸栄養液を注ぎ込む開口部を有するバッグ本体１０１と、バッグ本体１０１の上部に設けられた、バッグ本体１０１を保持して開口部を開くための保持部１０２とを備えている。保持部１０２は、バッグ本体１０１の外面又は内面に固着されたシートにより形成され、第一指２１１を除き、第二指２１２を含む少なくとも３本の指を挿入可能な空間を有している。バッグ本体１０１の一方の側端部は、空間に少なくとも３本の指を挿入した状態において、手のひらの第一指２１１と第二指２１２との間の部分と当接する。【選択図】図４
2020081037.tif 000002
【特許請求の範囲】
【請求項１】
上端部に経腸栄養液を注ぎ込む開口部を有するバッグ本体と、
前記バッグ本体の上部に設けられた、前記バッグ本体を保持して前記開口部を開くための保持部とを備え、
前記保持部は、前記バッグ本体の外面又は内面に固着されたシートにより形成され、第一指を除き、第二指を含む少なくとも３本の指を挿入可能な空間を有し、
前記バッグ本体の一方の側端部は、前記空間に前記少なくとも３本の指を挿入した状態において、手のひらの第一指と第二指との間の部分と当接する、経腸栄養法用バッグ。
【請求項２】
前記保持部は、前記第二指を含む少なくとも３本の指を挿入可能な第１の部分と、前記第１の部分よりも前記バッグ本体の中央部に設けられ、第二指を挿入可能な第２の部分とを有している、請求項１に記載の経腸栄養法用バッグ。
【請求項３】
前記バッグ本体は、上部に設けられたチャック状封止部を有し、
前記保持部に挿入された、第二指を除くいずれかの指が前記チャック状封止部の位置に配置される、請求項１又は２に記載の経腸栄養法用バッグ。
【請求項４】
前記バッグ本体は、上部に設けられたチャック状封止部を有し、
前記第２の部分は、前記チャック状封止部よりも上方に位置する、請求項２に記載の経腸栄養法用バッグ。
【請求項５】
上端部に経腸栄養液を注ぎ込む開口部を有するバッグ本体と、
前記バッグ本体を保持するための保持部とを備え、
前記保持部は、前記バッグ本体の外面又は内面に固着されたシートにより形成され、保持部開口部から指を挿入可能な空間を有し、前記保持部開口部はバッグ本体の一方の側端近傍に位置する、経腸栄養法用バッグ。
【請求項６】
上端部に経腸栄養液を注ぎ込む開口部を有するバッグ本体と、
前記バッグ本体を保持するための保持部とを備え、
前記保持部は、前記バッグ本体の外面又は内面に固着されたシートにより形成され、前記バッグ本体の幅方向一方側に設けられた保持部開口部から指を挿入可能な空間を有し、
前記空間は、前記保持部開口部よりも前記バッグ本体の幅方向他方側において、前記保持部開口部の上下長さよりも上下長さが短い部分を有する、経腸栄養法用バッグ。
【発明の詳細な説明】
【技術分野】
【０００１】
本開示は、経腸栄養法用の栄養液等の液状物を収容するバッグに関する。
【背景技術】
【０００２】
嚥下障害がある患者を対象として、鼻腔から挿入されたチューブ又は胃瘻等を通じて栄養液や薬液を投与する経腸栄養法が行われている。
【０００３】
経腸栄養法においては、栄養液や薬液を軟質樹脂製のバッグに入れて患者に投与する。栄養液等をバッグ内に入れる操作は、通常は一人で行われ、一方の手で開口部が開いた状態となるようにバッグを保持しつつ、他方の手でカップ等に入れた栄養液等をバッグ内に注ぎ入れる。
【０００４】
しかし、軟質樹脂製のバッグの開口部を片手で、且つ衛生面からバッグの開口部の内側を触らないようにして、開いた状態とすることは、集中力を必要とする負担の大きい作業である。このため、バッグの開口部を容易に開いた状態にする方法が検討されている。例えば、バッグの開口部付近を補強すると共に、両側部にそれぞれ指を入れる孔を設け、孔に入れた指を内側に絞ることにより開口部を開いた状態にするバッグが検討されている（例えば、特許文献１を参照。）。
【先行技術文献】
【特許文献】
【０００５】
【特許文献１】実開昭６２−１１１０３２号公報
【発明の概要】
【発明が解決しようとする課題】
【０００６】
しかしながら、栄養液を注ぎ入れたバッグの質量は１ｋｇ程度にもなる。孔に挿入した２本の指でこのような質量を支えることは容易ではなく、作業者の負担が大きい。
【０００７】
本開示の課題は、開口部を片手で容易に開いた状態にすることが可能であると共に、栄養液等を注ぎ入れた後の負荷も軽減した経腸栄養法用バッグを実現できるようにすることである。
【課題を解決するための手段】
【０００８】
本開示の経腸栄養法用バッグの第１の態様は、上端部に経腸栄養液を注ぎ込む開口部を有するバッグ本体と、バッグ本体の上部に設けられた、バッグ本体を保持して開口部を開くための保持部とを備え、保持部は、バッグ本体の外面又は内面に固着されたシートにより形成され、第一指を除き、第二指を含む少なくとも３本の指を挿入可能な空間を有し、バッグ本体の一方の側端部は、空間に少なくとも３本の指を挿入した状態において、手のひらの第一指と第二指との間の部分と当接する。
【０００９】
経腸栄養法用バッグの第１の態様によれば、保持部が有する空間に指を挿入した状態において、バッグ本体の一方の側端部が、手のひらの第一指と第二指との間の部分と当接するので、保持部の空間に挿入された指を曲げることにより、片手でバッグ本体の開口部を開いた状態にすることができる。また、複数の指が挿入された保持部によりバッグ本体を保持するので、バッグ本体に注ぎ入れられた経腸栄養液等の質量が複数の指に分散して加わるため、作業者の負荷を低減できる。
【００１０】
経腸栄養法用バッグの第１の態様において、保持部は、第二指を含む少なくとも３本の指を挿入可能な第１の部分と、第１の部分よりもバッグ本体の中央部に設けられ、第二指を挿入可能な第２の部分とを有していてもよい。このような構成とすることにより、第二指と他の指とを異なる形状に保持しやすいので、バッグ本体の開口部をさらに容易に開くことができる。
【００１１】
経腸栄養法用バッグの第１の態様において、バッグ本体は、上部に設けられたチャック状封止部を有し、保持部に挿入された、第二指を除くいずれかの指が前記チャック状封止部の位置に配置されるようにできる。剛性が高いチャック状封止部の部分に配置された指を曲げることにより、バッグ本体の開口部をさらに容易に開くことができる。
【００１２】
経腸栄養法用バッグの第１の態様において、バッグ本体は、上部に設けられたチャック状封止部を有し、第二指を挿入可能な第２の部分は、チャック状封止部よりも上方に位置することができる。このような構成とすることにより、バッグの開口形状を操作しやすくすることができる。
【００１３】
本開示の経腸栄養法用バッグの第２の態様は、上端部に経腸栄養液を注ぎ込む開口部を有するバッグ本体と、バッグ本体を保持するための保持部とを備え、保持部は、バッグ本体の外面又は内面に固着されたシートにより形成され、保持部開口部から指を挿入可能な空間を有し、保持部開口部はバッグ本体の一方の側端近傍に位置する。
【００１４】
経腸栄養法用バッグの第２の態様によれば、保持部が有する空間に指を挿入した状態において、挿入孔がバッグ本体の一方の側端部の近傍に位置するので、指を挿入した状態において、第二指の付け根側を保持部に位置させることができる。このため、バッグ本体に注ぎ入れられた経腸栄養液等の質量は指の付け根側に加わるので、使用者の指にかかる負担を低減することができる。また、バッグ本体の一方の側端部は手のひらの第一指と第二指との間に位置することができ、バッグ本体に注ぎ入れられた経腸栄養液等の質量に対し、指の先端側第一指を保持部が設けられた面と反対の面に位置させることができるため、第一指を自然な方向に向かせることができる。
【００１５】
本開示の経腸栄養法用バッグの第３の態様は、上端部に経腸栄養液を注ぎ込む開口部を有するバッグ本体と、バッグ本体を保持するための保持部とを備え、保持部は、バッグ本体の外面又は内面に固着されたシートにより形成され、バッグ本体の幅方向一方側に設けられた保持部開口部から指を挿入可能な空間を有し、空間は、保持部開口部よりもバッグ本体の幅方向他方側に、保持部開口部の上下長さよりも上下長さが短い部分を有する。
【００１６】
経腸栄養法用バッグの第３の態様によれば、複数の指がバッグを保持しつつ、バッグの細かな開口部形状を指で操作しやすく、バッグ開口部の開口形状の自由度を向上させることができる。
【発明の効果】
【００１７】
本開示の経腸栄養法用バッグによれば、栄養液等を注ぎ入れた後の使用者への負荷を軽減できる。
【図面の簡単な説明】
【００１８】
【図１】一実施形態に係る経腸栄養法用バッグを示す正面図である。
【図２】一実施形態に係る経腸栄養法用バッグを示す背面図である。
【図３】一実施形態に係る経腸栄養法用バッグを示す左側面図である。
【図４】一実施形態に係る経腸栄養法用バッグの開口部を開いた状態を示す斜視図である。
【図５】経腸栄養法用バッグの第１変形例を示す正面図である。
【図６】経腸栄養法用バッグの第２変形例を示す正面図である。
【図７】経腸栄養法用バッグの第３変形例を示す左側面図である。
【発明を実施するための形態】
【００１９】
図１〜図３に示すように、本実施形態の経腸栄養法用バッグは、袋状のバッグ本体１０１と、バッグ本体１０１の上部に設けられた保持部１０２とを有している。
【００２０】
本実施形態においてバッグ本体１０１は、互いに重ね合わされた第１の本体シート１０１Ａ及び第２の本体シート１０１Ｂの周囲を固着して形成した縦長の袋状である。固着部１３０は、上端部を除く周囲の３方を囲むように設けられており、バッグ本体１０１の上端部は開口している。
【００２１】
本実施形態において保持部１０２は、第１の部分１２１及び第２の部分１２２を有している。第１の部分１２１及び第２の部分１２２は、いずれも帯状シートの上端及び下端を第１の本体シート１０１Ａの外面に固着することにより形成されている。第１の部分１２１の上端固着部１２１ａ及び第２の部分１２２の上端固着部１２２ａは、第１の本体シート１０１Ａの上端に固着されている。第１の部分１２１の下端固着部１２１ｂは、縦方向の長さが少なくとも３本の指が挿入できる程度となる位置に固着されている。第２の部分１２２の下端固着部１２２ｂは、縦方向の長さが第二指を挿入できる程度となる位置に固着されている。第１の部分１２１は、左側の側端付近に設けられており、第２の部分１２２は、バッグ本体１０１の中央部付近に設けられている。なお、経腸栄養法用バッグについて左右を示す場合は、バッグ本体１０１の開口部を上にして第１の本体シート１０１Ａ側から見た状態における左右である。
【００２２】
第１の部分１２１は、図３に示すように、中央部が第１の本体シート１０１Ａの外面から浮くように、弛みを持たせて帯状シートの上端部及び下端部を第１の本体シート１０１Ａの外面に固着させることが好ましい。このようにすれば、保持部開口部１２３から第１の部分１２１が形成する空間に指を挿入しやすくすることができる。但し、帯状シートを弛ませずに上端固着部１２１ａ及び下端固着部１２１ｂを固着させることもできる。この場合、挿入した指を保持部に密着するため、バッグ開口部を指の形状に合致した形状にしやすくすることができる。この場合には、指の挿入を容易にする観点から、帯状シートをある程度の伸縮性を有する材料により形成してもよい。なお、第２の部分１２２についても同様である。
【００２３】
図４に示すように、第１の部分１２１が形成する空間に、左側から右手の第一指２１１を除く、第二指２１２、第三指２１３、第四指２１４及び第五指２１５を挿入すると、第二指２１２はバッグ本体１０１の上端付近に配置されると共に、第２の部分１２２が形成する空間に挿入される。また、バッグ本体の左側端部は、右手の手のひらの第一指２１１と第二指２１２との間の部分に当接し、バッグ本体１０１が手指に対して大きく動かない状態にする。この状態で、第二指２１２〜第五指２１５の少なくとも一部を曲げると、指先と手のひらとの間に挟まれた第１の本体シート１０１Ａが指に沿って変形する。この際、反対側の第２の本体シート１０１Ｂは、第１の本体シート１０１Ａと対称的な形状に変形するため、バッグ本体１０１の開口部は開いた状態となる。これにより、開口部から栄養液等をバッグ本体１０１内へ容易に注ぎ入れることができる。また、注ぎ入れられた栄養液等の質量は、第１の部分１２１を構成する帯状フィルムによって複数の手指及び手の甲に分散して加わる。このため、局所的に荷重がかかることによる痛み等が生じにくく、栄養液等を注ぎ入れる間、操作者は大きな負担なく開口部を開いた状態に維持することができる。
【００２４】
また、右手の第一指２１１を第２の本体シート１０１Ｂ側に配置することにより、バッグ本体１０１の左側端部を、第一指２１１と第二指２１２との間の指間部の窪みに当接させることができる。これにより、第１の本体シート１０１Ａの左側端部がしっかりと固定されるので、第１の本体シート１０１Ａの変形がスムーズに生じ、開口部をより容易に開けることができる。但し、バッグ本体１０１の左側端部は、手のひらのどこかに当接して動きが制限されればよく、必ずしも第一指２１１と第二指２１２との間の指間部の窪みに当接しなくてよい。
【００２５】
さらに、第一指２１１を第２の本体シート１０１Ｂ側に配置した場合には、第２の本体シート１０１Ｂを第一指２１１により支えることができるため、栄養液等の注ぎ入れがさらに容易となる。また、第一指２１１が開口部からバッグ本体１０１の内側に意図せずに入り栄養液等を汚染するような事故を生じにくくすることもできる。
【００２６】
第２の部分１２２は、挿入された第三指２１３の位置より上方に位置する。使用者は第二指２１２と第三指２１３を沿わせた状態から第二指２１２だけを外方に移動させることで、第２の部分１２２を移動させることができ、開口形状を細かく操作することができる。なお、第２の部分１２２はバッグ本体１０１の開口部の中央に位置することが好ましいが、ハッグ本体１０１の開口部の幅を小さくし、右側に位置させてもよい。
【００２７】
第１の部分１２１の上端固着部１２１ａ及び第２の部分の上端固着部１２２ａが、第１の本体シート１０１Ａの上端と揃えられて固着されている例を示した。このようにすれば、第１の本体シート１０１Ａの上端付近に指が配置されるため、第１の本体シート１０１Ａを上端から指の形に沿わせることができる。但し、上端固着部１２１ａ及び１２２ａは、第１の本体シート１０１Ａの上端から少しずれた位置に固着されていてもよい。
【００２８】
本実施形態において保持部１０２は、第二指２１２が挿入される第２の部分１２２をバッグ本体１０１の中央部に有している。このため、バッグ本体１０１の上端付近に配置される第二指２１２を、他の指より曲げる角度を小さくしたり、曲げないようにしたりすることが容易にできる。これにより、第１の本体シート１０１Ａの上端部と比べて下側の部分をより湾曲させることが容易にできる。これにより、開口部をフレア状に開けて維持することが容易となる。第２の部分１２２は、特に限定されないが、第二指を他の指から独立して動かすことを容易とする観点からは、第二指の中節骨付近が挿入された状態となる位置に設けることが好ましい。
【００２９】
なお、第２の部分１２２は、第１の部分１２１よりもバッグ本体１０１の中央部側に設けられた、第１の部分１２１よりも上下方向の長さが短い部分であるとよい。例えば、幅広のシートと第１の本体シート１０１Ａとの間の部分である空間に、バッグ本体１０１の一方側に設けられた保持部開口部よりも他方側に、保持部開口部よりも上下方向の長さが短い部分を形成して、この部分を第２の部分１２２とすることができる。
【００３０】
但し、第二指２１２を挿入する第２の部分１２２を設けなくても、指の当て方及び曲げ方等を調整することにより、バッグ本体１０１の開口部を開けて維持することができるので、第２の部分１２２は設けなくてもよい。また、逆Ｌ字状のシートを用いたり、下端固着部の形状をＬ字状にしたりする等して、第１の部分１２１と第２の部分１２２とを一体に形成することもできる。なお、第２の部分に第二指２１２だけでなく第二指２１２と第三指２１３とが挿入されていたり、第二指２１２ではなく第三指２１３だけが挿入されていても、同様に操作することができる。
【００３１】
第１の部分１２１の幅方向の長さは、荷重を分散させて手にかかる負担を小さくする観点から、少なくとも第二指２１２〜第五指２１５の中手指節間関節の部分を覆えるようにすることが好ましい。具体的には、第１の部分１２１の幅は好ましくは２ｃｍ以上、より好ましくは３ｃｍ以上である。第１の部分１２１の幅方向の長さが長い方が手にかかる荷重を分散させることができる。第２の部分１２２は、第二指２１２を第１の本体シート１０１Ａの表面に沿わせることができればよく、幅は特に限定されないが、形成のし易さの観点からは、好ましくは５ｍｍ以上、より好ましくは１ｃｍ以上である。第１の部分１２１の指挿入孔はバッグ本体１０１の側端近傍に位置することが好ましく、例えば、バッグ側端から２ｃｍ以内に位置することが好ましい
第１の部分１２１の縦方向の長さは、第一指２１１を除き、第二指２１２を含む３本又は４本の指を挿入できる長さが好ましく、例えば７ｃｍ以上である。なお、複数本の指が入らなくてもよい。第１の部分１２１の縦方向の長さは、特に限定されないが、操作性及び形成の容易さの観点から、１２ｃｍ以下にしてもよい。第２の部分１２２の縦方向の長さは、第二指２１２が挿入できればよく、好ましくは２ｃｍ以上、好ましくは４ｃｍ以下である。なお、第１の部分１２１は挿入される指と指の間に固着部が形成されるようにしてもよい。また、第１の部分１２１に相当するシートを上下複数枚用いて、各指が挿入される部位が上下に離間して形成されてもよい。
【００３２】
本実施形態において、第２の本体シート１０１Ｂの上端部には、タブ１０３が設けられている。タブ１０３は、第２の本体シート１０１Ｂの外面に固着部１０３ａを固着させた樹脂シート片とすることができる。タブ１０３は、第２の本体シート１０１Ｂを第１の本体シート１０１Ａから引き離すように引っ張ることができればどのような構成としてもよく、バッグの側方から左右方向に延びていてもよい。また、タブ１０３は必要に応じて設ければよく、テープ等で代用してもよく、また、設けなくてもよい。
【００３３】
第１の本体シート１０１Ａと第２の本体シート１０１Ｂとが密着した状態で、保持部１０２に挿入した指を曲げると、第２の本体シート１０１Ｂが第１の本体シート１０１Ａと対称的に変形せず、第１の本体シート１０１Ａくっついた状態となる場合がある。タブ１０３を設けることにより、このような場合に第２の本体シート１０１Ｂの内面を指で触ることなく第２の本体シート１０１Ｂを引っ張って、第１の本体シート１０１Ａから引き離すことができる。また、閉じられた状態のチャック状封止部１３２を開ける際にもタブ１０３を用いることができる。
【００３４】
バッグ本体１０１の上部には、上端から間隔をおいてチャック状封止部１３２が設けられている。チャック状封止部１３２は、開口部を繰り返し開閉可能にできればどのような構成であってもよい。例えば、第１の本体シート１０１Ａ及び第２の本体シート１０１Ｂの一方に設けられた幅方向に延びる凹溝と、他方に設けられた凹溝と嵌合する凸条とにより構成されたチャック等とすることができる。
【００３５】
このようなチャック状封止部１３２が設けられている場合、バッグ本体１０１の他の部分よりも剛性が高くなっているチャック状封止部１３２の部分に指を配置して曲げることにより、第１の本体シート１０１Ａがより指に沿った形に変形するので、バッグ本体１０１の開口部を開くことがさらに容易となる。このため、チャック状封止部１３２は、バッグ本体１０１の上端から指２本〜３本分程度下側の位置に設けることが好ましい。この場合、第１の部分１２１の下端固着部１２１ｂは、第１の本体シート１０１Ａのチャック状封止部１３２よりも下側の部分に固着させることが好ましい。
【００３６】
但し、チャック状封止部１３２に指が配置されていなくてもよく、バッグ本体１０１の内容量及び形状等に応じて、チャック状封止部１３２をバッグ本体１０１の上端部付近に設けたり、保持部１０２の下端よりも下側に設けたりすることもできる。
【００３７】
本実施形態において、バッグ本体１０１における第１の部分１２１が設けられている左側の上端部には、固着部１３０が形成されていない。一方、右側の上端部は、斜め方向に固着された傾斜固着部１３３となっている。これにより、バッグ本体１０１のチャック状封止部１３２よりも上側は、第１の本体シート１０１Ａと第２の本体シート１０１Ｂとが一方の端部においてのみ固着された開放部１３８となっている。傾斜固着部１３３は、開放部１３８の幅方向の長さが、下方に向かって次第に短くなるように形成されている。このため、保持部１０２を用いてバッグ本体１０１の開口部を開けた場合に、上端がより大きく開いたフレア状にすることができる。これにより、栄養液等の注ぎ入れがさらに容易となる。
【００３８】
但し、開放部１３８は必要に応じて種々の形状とすることができる。例えば、傾斜固着部１３３を設けるのではなく、チャック状封止部１３２の位置よりも上側の部分において、バッグ本体１０１自体の幅を次第に大きくすることができる。この場合にも、開放部１３８の幅方向の長さが、下方に向かって次第に短くなるため、開口部をフレア状にすることが容易にできる。
【００３９】
また、必ずしも開口部がフレア状に拡がる必要はなく、右側に幅が一定の固着部を設けることができる。また、右側も第１の本体シート１０１Ａと第２の本体シート１０１Ｂとが固着されていない状態とすることもできる。さらに、必ずしも開放部１３８を形成しなくてもよく、第１の部分１２１が設けられている左側の部分においても第１の本体シート１０１Ａと第２の本体シート１０１Ｂとを固着させてもよい。
【００４０】
本実施形態において、バッグ本体１０１の左下端には、バッグ本体１０１内に収容された栄養液等を流し出すためのポート１３６が設けられている。ポート１３６はチューブ１４４を接続できればどのような構成としてもよい。ポート１３６とチューブ１４４とは直接接続されていても、コネクタ等を介在させて接続されていてもよい。なお、ポート１３６を設ける位置は、左下端に限らず、中央下端及び右下端等に設けることもできる。
【００４１】
チューブ１４４は、バッグ本体１０１内に収容された栄養液等が通過する可撓性のチューブであり、必要に応じてチャンバー（点滴筒）、クレンメ（流量調整器）及びコネクタ等が設けられて、鼻腔等から患者体内に挿入されて胃や十二指腸等に至る。
【００４２】
本実施形態において、バッグ本体１０１の右上部には、点滴スタンド等の吊り下げフックに懸架するための貫通孔１３４及びチューブを引っかけるためのチューブハンガー１３５が設けられている。これらの構成を設ける位置及び形状は、バッグ本体１０１の形状及び大きさ等に応じて設定すればよく、特に限定されない。
【００４３】
本実施形態において、バッグ本体１０１の幅が下部において上部よりも広くなっている例を示した。このような構成とすることにより、指からの開口部への操作力の伝達性と収容量の増大化を両立させることができる。また、下端部に設けたポート１３６に向かってバッグ本体１０１の幅が次第に狭くなっていくような構成とすることもできる。さらに、バッグ本体１０１全体の幅を変えるのではなく、固着部１３０の幅を変えることにより、栄養液等を収容する部分の幅を変化させることもできる。
【００４４】
本実施形態において、第１の本体シート１０１Ａの上端と、第２の本体シート１０１Ｂの上端とが揃っている例を示したが、一方の上端が他方の上端よりも高い位置になるようにすることもできる。
【００４５】
本実施形態においては、第１の部分１２１をバッグ本体１０１の左側の側端部に設け、右手の指を保持部１０２に挿入するようにした例を示した。しかし、左右を反転させて、保持部１０２に左手の指を挿入する構成とすることもできる。この場合、バッグ本体１０１の左上端部に傾斜固着部を設け、右上端部に非固着部を設ければよい。また、左側だけでなく、右側にも第１の部分１２１を設けると共に、バッグ本体１０１を左右対称として、左右いずれの手でも扱えるようにすることもできる。なお、本実施形態において、保持部は片面のみに存在するが、両面に設けることもできる。
【００４６】
左右いずれの手でも扱えるようにする場合、図５に示す第１変形例のように、バッグ本体１０１の上端部に固着させた幅広のシート１２４により保持部１０２を形成することもできる。シート１２４は、上端及び下端がバッグ本体１０１に固着された上端固着部１２４ａ及び下端固着部１２４ｂとなっており、上部中央には中央固着部１２４ｃが形成されている。上端固着部１２４ａと中央固着部１２４ｃとの間は、第二指を挿入する第２の部分となり、他の部分は第１の部分となる。例えば、シート１２４の左側方から右手の第二指〜第五指を保持部１０２に挿入すると、第二指が中央固着部１２４ｃの上側になり、第三指〜第五指が中央固着部１２４ｃの下側になるように配置される。この状態で保持部１０２に挿入した指を曲げることにより、第１の本体シート１０１Ａの開口部付近を変形させて開口部を容易に開くことができる。
【００４７】
第１変形例においては、左右いずれの上部側端においても、第１の本体シート１０１Ａと第２の本体シート１０１Ｂとが固着されておらず、保持部１０２に左右どちら側から手の指を挿入した場合においても、挿入した指を曲げることにより開口部を容易に開くことができる。但し、左右の一方又は両方の上部側端において、第１の本体シート１０１Ａと第２の本体シート１０１Ｂとが固着されていてもかまわない。
【００４８】
また、左右一方の手で操作できるようにする場合において、一実施形態において示した独立した第１の部分１２１及び第２の部分１２２を有する保持部１０２に換えて、本変形例のような第１の部分と第２の部分とが１枚のシートにより形成された保持部１０２を設けることもできる。
【００４９】
第１の本体シート１０１Ａの外面に、シートを固着させることにより保持部１０２を形成する例を示したが、図６に示す第２変形例のように、第１の本体シート１０１Ａの内面にシート１２５を固着させて保持部１０２を形成することもできる。
【００５０】
第２変形例においては、チャック状封止部１３２よりも上側の部分において、第１の本体シート１０１Ａの内面にシート１２５を固着させている。シート１２５は、周縁部に設けられた周縁固着部１２５ａにより第１の本体シート１０１Ａの内面に固着されている。また、第１の本体シート１０１Ａの幅方向の中央部付近に固着された、中央固着部１２５ｂが設けられている。中央固着部１２５の上側は、第二指が挿入される第２の部分となり、他の部分は第１の部分となる。
【００５１】
シート１２５が内面に固着されている部分において、第１の本体シート１０１Ａの左側端付近には、スリット状の保持部開口部１２３が設けられており、保持部開口部１２３から、右手の指をシート１２５と第１の本体シート１０１Ａとの間に形成される空間に挿入することができる。シート１２５の縦方向の長さ及び保持部開口部１２３の縦方向の長さは、少なくとも３本の指が挿入できる程度となっている。例えば、シート１２５の左側方から右手の第二指〜第五指を保持部１０２に挿入すると、第二指が中央固着部１２５ｂの上側になり、第三指〜第五指が中央固着部１２５ｂの下側になるように配置される。この状態で保持部１０２に挿入した指を曲げることにより、シート１２５と共に第１の本体シート１０１Ａの開口部付近が変形し、開口部を容易に開くことができる。
【００５２】
なお、第２変形例においても中央固着部１２５ｂは必要に応じて設ければよく、設けなくてもよい。また、第１の本体シート１０１Ａの中央部よりの位置にスリット状の開口部を設け、第二指の指先が第１の本体シート１０１Ａの上側に出るような構成とすることもできる。
【００５３】
第２変形例において、第１の本体シート１０１Ａにおける保持部開口部１２３を形成することにより生じた切片を第１の本体シート１０１Ａの内側に折り込んで、折り込み部１２６を形成している。切片を切り落とさずに折り込み部１２６とすることにより、保持部開口部１２３にスムーズに指を挿入することができる。
【００５４】
第２変形例において、右側の上端部を、左側の上端部と同様に第１の本体シート１０１Ａと第２の本体シートとが固着されていない構成としたが、右側の上端部は固着部とすることができる。この場合、固着部を下方ほど幅が広くなるように斜めにすることもできる。また、第１変形例と同様に、保持部１０２を左右対称の形状として、左右どちらの手によっても操作できる構成とすることもできる。また、左右を反転させて右側端部に保持部開口部１２３が設けられ、左手の指を挿入して操作する構成とすることもできる。
【００５５】
なお、第１変形例及び第２変形例においても、吊り下げ用フックの挿入用孔やチューブハンガーとなる切り欠きを適宜設けることができる。
【００５６】
図７に示す第３変形例のように、第１の本体シート１０１Ａの外面と第２の本体シート１０１Ｂの外面とを繋ぐタブ１０３Ａを設けることもできる。この場合、第２の本体シート１０１Ｂの側には、外れないように固着部１０３ａを形成し、第１の本体シート１０１Ａ側には、引っ張ることにより剥がれる易剥離部１０３ｂを形成する。タブ１０３Ａは、使用前にバッグ本体１０１の開口部が開かないようにする共に、未使用であることを示すマーカーとなる。使用時に、易剥離部１０３ｂを剥離することにより、第２の本体シート１０１Ｂを第１の本体シート１０１Ａの反対側に引っ張ることが可能となる。なお、第１の本体シート１０１Ａ側を易剥離部１０３ｂとするのではなく、外れないような固着部とし、２つの固着部の間に切断することができる弱化部等を設けた構成とすることもできる。
【００５７】
バッグ本体１０１が平面略長方形状状である例を示したが、これに限らずどのような形状としてもよい。例えば、平面略三角形状及び平面略長円形状等とすることができる。
【００５８】
バッグ本体１０１は、軟質の樹脂シートにより形成すればよく、例えばポリプロピレン、ポリエチレン、ポリエステル、及びポリ塩化ビニル等の樹脂シートにより形成することができる。保持部１０２は、バッグ本体１０１と同様に軟質の樹脂シートにより形成することができる。バッグ本体１０１と保持部１０２とは、同じ種類の樹脂シートにより形成することも、異なる種類の樹脂シートにより形成することもできる。
【００５９】
ポート１３６は、ある程度硬質の樹脂により形成すればよく、例えばポリプロピレン、ポリエチレン、アクリロニトリル−ブタジエン−スチレン共重合合成樹脂（ＡＢＳ樹脂）、樹脂、ポリカーボネート、アクリル樹脂、及び硬質塩化ビニル等により形成することができる。
【００６０】
シート同士の固着は、シートの材質にもよるが熱融着又は超音波融着等により行うことができる。また、接着剤等を用いてシート同士を接着することもできる。また、実施形態において、保持部を形成するシートはその上下端がバッグ本体に固定されているが、予め筒状に形成したシートをバッグ本体に固定してもよい。また、本願に発明における各寸法の好適な値は、社団法人人間生活工学研究センターが発行する「日本人の人体計測データ」等の刊行物の女性の手指の各部位平均値等をもとに設定することができる。
【産業上の利用可能性】
【００６１】
本開示の経腸栄養法用バッグは、開口部を片手で容易に開いた状態にできる共に、栄養液等を注ぎ入れた後の負荷も軽減でき、医療分野等において有用である。
【符号の説明】
【００６２】
１０１      バッグ本体
１０１Ａ    第１の本体シート
１０１Ｂ    第２の本体シート
１０２      保持部
１０３      タブ
１０３Ａ    タブ
１０３ａ    固着部
１０３ｂ    易剥離部
１２１      第１の部分
１２１ａ    上端固着部
１２１ｂ    下端固着部
１２２      第２の部分
１２２ａ    上端固着部
１２２ｂ    下端固着部
１２３      保持部開口部
１２４      シート
１２４ａ    上端固着部
１２４ｂ    下端固着部
１２４ｃ    中央固着部
１２５      シート
１２５ａ    周縁固着部
１２５ｂ    中央固着部
１２６      折り込み部
１３０      固着部
１３２      チャック状封止部
１３３      傾斜固着部
１３４      貫通孔
１３５      チューブハンガー
１３６      ポート
１３８      開放部
１４４      チューブ
２１１      第一指
２１２      第二指
２１３      第三指
２１４      第四指
２１５      第五指
【図１】
2020081037.tif 000003
【図２】
2020081037.tif 000004
【図３】
2020081037.tif 000005
【図４】
2020081037.tif 000006
【図５】
2020081037.tif 000007
【図６】
2020081037.tif 000008
【図７】
2020081037.tif 000009